(57)【要約】【課題】施工性を改善するとともに解体容易な接続構造としたリサイクル型プレファブ布基礎部材を実現する。【解決手段】長方形板状のＰＣ底版１１と、このＰＣ底版１１の長手方向中心線上に縦向きに接続された長方形板状のＰＣ梁１２からなる逆Ｔ字状のリサイクル型プレファブ布基礎部材で、ＰＣ梁１２の長手方向両端付近に縦方向所定間隔で複数本の接続用ボルト１２１　を突出させ、これに接続板をかけ渡してナットで締めつけ、隣接するＰＣ梁を接続する。【選択図】　　　　図１
2004084209.tif 000002
【特許請求の範囲】
【請求項１】
長方形板状のＰＣ底版（１１）と、このＰＣ底版（１１）の長手方向中心線上に縦向きに接続された長方形板状のＰＣ梁（１２）とからなる逆Ｔ字状のリサイクル型プレファブ布基礎部材。
【請求項２】
前記ＰＣ底版（１１）の長手方向両端面位置と前記ＰＣ梁（１２）の長手方向両端面位置とが所定寸法だけずれている請求項１に記載のリサイクル型プレファブ布基礎部材。
【請求項３】
長方形板状部分とこれに直角方向の長方形板状部分とを接続した形状のＰＣ底版（１１）と、この底版のそれぞれの長手方向中心線上に縦向きに接続された長方形板状のＰＣ梁（１２）とからなる逆Ｔ字状のリサイクル型プレファブ布基礎部材。
【請求項４】
前記ＰＣ梁（１２）の長手方向両端付近に縦方向所定間隔で複数本の接続用ボルト（１２１　）を突出させたことを特徴とする請求項１または３のいずれかに記載のリサイクル型プレファブ布基礎部材。
【請求項５】
前記ＰＣ底版（１１）の長手方向両端面に水平溝（１１１　）を設けた請求項１または４のいずれかに記載のリサイクル型プレファブ布基礎部材。
【請求項６】
前記ＰＣ梁（１２）の長手方向両端面に縦方向の凸条（１２２　）または縦溝（１２３　）を設けてなる請求項１ないし５のいずれかに記載のリサイクル型プレファブ布基礎部材。
【請求項７】
前記ＰＣ梁（１２）の上面の一部に凹部（１２５　）を形成したことを特徴とする請求項１ないし６のいずれかに記載のリサイクル型プレファブ布基礎部材。
【請求項８】
前記ＰＣ梁（１２）の中央付近の高さ中央位置に開口部（１２６　）を形成したことを特徴とする請求項１ないし７のいずれかに記載のリサイクル型プレファブ布基礎部材。
【請求項９】
前記ＰＣ梁（１２）の中央付近の底版に近い位置に開口部（１２７　）を形成したことを特徴とする請求項１ないし８のいずれかに記載のリサイクル型プレファブ布基礎部材。
【請求項１０】
地盤を根切りしてその底面に請求項１ないし９のいずれかに記載のリサイクル型プレファブ布基礎部材を長手方向に連続して敷設し、隣接するＰＣ底版の長手方向端面の水平溝により形成される空間内に水平方向から棒材を挿入して隣接するＰＣ底版を接続するとともに、隣接するＰＣ梁の長手方向両端付近に突出する前記接続用ボルト間に接続板をかけ渡してナットで締めつけ、隣接するＰＣ梁を接続することを特徴とするリサイクル型プレファブ布基礎部材を使用する布基礎の構築方法。
【発明の詳細な説明】
【０００１】
【発明の属する技術分野】
本発明は、住宅、事務所等の建築物の布基礎として使用するための工場生産によるプレキャストコンクリート（以下本明細書においてはＰＣと略記する）布基礎部材に関し、特に前記建築物を解体した場合に、廃棄物とすることなく他の建築物の布基礎用として再度使用することのできることを目的としたリサイクル型プレファブ布基礎部材に関する。
【０００２】
【従来の技術】
近年、住宅、事務所等の建築物の布基礎部分に、工場生産によるプレファブ布基礎部材を使用して場所打ちコンクリートの量を極力少なくし、工事期間を短縮するとともに部材の信頼性を高めたＰＣ布基礎構造が広く採用されている。一例として特許文献１（特開昭４８−３２３０９号公報）に記載されたＰＣ布基礎を図１２、図１３により説明する。
【０００３】
図１２はこの布基礎の斜視図、図１３は縦断面図で、２はＰＣ製の礎版、３は直方体状のＰＣ基礎梁部材、Ｓは砂である。この布基礎は、まず地盤を根切りして底面に砂Ｓを水平に敷き均し、その上に礎版２を長手方向に隣接させながら水平に敷設し、その上面の長手方向中心線上に直方体状のＰＣ基礎梁部材３を縦姿勢に配設し、Ｇ．Ｌ．で示す線まで土を埋め戻して構成される。
【０００４】
隣接するＰＣ基礎梁部材３相互の結合手段としては、ＰＣ基礎梁部材３内上下に底辺に平行して埋め込まれた引張り用の水平鉄筋の両端にピン孔を有する継手を設け、これにピンを打ち込んで接合するのがやり方が知られている。
このようなＰＣ基礎梁部材の一例が特許文献２（特開２０００−２５７０７８号公報）に記載されている。これを図１４、１５により説明する。図１４はＰＣ基礎梁部材３の正面図、図１５は同じく平面図である。ＰＣ基礎梁部材３には上下２段に水平鉄筋３１およびこれらを上下に連結するあばら筋などの配筋が埋め込まれ、水平鉄筋３１の両端にピン孔を有する継手３２、３３が取り付けられている。継手３２、３３はＰＣ基礎梁部材３の水平方向端面中央に鉛直方向に設けられた縦溝から突出しており、一方の継手３２はピン孔を有する鋼板が２枚に分かれた受け手、他方の継手３３は同様の形状の鋼板１枚からなる差し手となっており、継手３２の２枚の鋼板の中間に継手３３が挿入された状態でピン孔にピンを挿通することにより隣接するＰＣ基礎梁部材３、３が連結される。連結後、接続部の隙間にモルタルを充填する。
【０００５】
また、特許文献３（特開平１０−８６３６号公報）には、これと異なる連結手段が記載されている。これを図１６ないし１８により説明する。図１６はＰＣ基礎梁部材３の内部に配置される鉄筋類を示す正面図で、３１ａ　はループ筋、３４はあばら筋、３５は金属管である。このＰＣ基礎梁部材３は、長手方向両端付近に縦方向所定間隔で複数本の金属管３５が埋め込まれており、両端の同じ高さの金属管３５の間にループ筋３１ａ　が配置され、また上下のループ筋３１ａ　は複数本のあばら筋３４で連結されている。金属管３５はループ筋３１ａ　に支障のない水平方向内側に剛性を増すためのリブが設けられている。図１７は隣接するＰＣ基礎梁部材３の接続部を示す正面図で、前記の金属管にまたがるように接続板Ｐが取り付けられ、金属管３５にボルトを挿通して接続板Ｐを締めつけることにより隣接するＰＣ基礎梁部材３、３が連結される。図１８は金属管３５位置で切断したＰＣ基礎梁部材３の縦断面図で、３６は金属管３５に挿入された接続用ボルトである。
【０００６】
さらに特許文献４（特公昭５２−３３４０３号公報）には、このようなＰＣ礎版およびＰＣ基礎梁部材を使用した布基礎の構築方法が記載されている。これを図１９により簡単に説明する。ＰＣ礎版２上面に凹部を形成し、かつＰＣ基礎梁部材３の内部に縦方向の中空部を設けてある。前記ＰＣ礎版２の凹部とＰＣ基礎梁部材３の中空部とにまたがる逆Ｕ字形の接合筋５を配置しておいて、前記ＰＣ礎版２の凹部とＰＣ基礎梁部材３の中空部とにモルタル４を充填することにより、ＰＣ礎版とＰＣ基礎梁部材との一体化を図っている。
【０００７】
【特許文献１】
特開昭４８−３２３０９号公報（第１−３頁、第２図Ａ、Ｂ）
【０００８】
【特許文献２】
特開２０００−２５７０７８号公報（第３頁、図２７、図２８）
【０００９】
【特許文献３】
特開平１０−８６３６号公報（第１−３頁、図４、図５、図６）
【００１０】
【特許文献４】
特公昭５２−３３４０３号公報報（第１−２頁、第４図）
【００１１】
【発明が解決しようとする課題】
ところで、建築物リサイクル法の施行により、建築物、特にビル等の半永久建築物に比較して寿命の短い住宅、事務所等の３階建て程度までの建築物については、建築物本来の性能の他に解体性が注目される情勢となっている。本発明は、前記した従来の技術に、施工性と解体性を加味したリサイクル型プレファブ布基礎部材を実現することを目的とする。
【００１２】
【課題を解決するための手段】
本発明のリサイクル型プレファブ布基礎部材は、長方形板状のＰＣ底版と、このＰＣ底版の長手方向中心線上に縦向きに接続された長方形板状のＰＣ梁とからなる逆Ｔ字状のもので、場合によっては前記ＰＣ底版の長手方向両端面位置と前記ＰＣ梁の長手方向両端面位置とが所定寸法だけずれている前記のリサイクル型プレファブ布基礎部材であるか、あるいは長方形板状部分とこれに直角方向の長方形板状部分とを接続した形状のＰＣ底版と、この底版のそれぞれの長手方向中心線上に縦向きに接続された長方形板状のＰＣ梁とからなる逆Ｔ字状のリサイクル型プレファブ布基礎部材であり、望ましくは前記ＰＣ梁の長手方向両端付近に縦方向所定間隔で複数本の接続用ボルトを突出させたことを特徴とするものであるか、前記ＰＣ底版の長手方向両端面に水平溝を設けた前記のリサイクル型プレファブ布基礎部材であり、さらに前記ＰＣ梁の長手方向両端面に縦方向の凸条または縦溝を設けてなる前記のリサイクル型プレファブ布基礎部材、あるいは前記ＰＣ梁の上面の一部に凹部を形成したことを特徴とする前記のリサイクル型プレファブ布基礎部材、また前記ＰＣ梁の中央付近の高さ中央位置に開口部を形成したことを特徴とする前記のリサイクル型プレファブ布基礎部材、さらにはまた前記ＰＣ梁の中央付近の底版に近い位置に開口部を形成したことを特徴とする前記のリサイクル型プレファブ布基礎部材である。
【００１３】
本発明のリサイクル型プレファブ布基礎部材を使用する布基礎の構築方法は、地盤を根切りしてその底面に前記のリサイクル型プレファブ布基礎部材を長手方向に連続して敷設し、隣接するＰＣ底版の長手方向端面の水平溝により形成される空間内に水平方向から棒材を挿入して隣接するＰＣ底版を接続するとともに、隣接するＰＣ梁の長手方向両端付近に突出する前記接続用ボルト間に接続板をかけ渡してナットで締めつけ、隣接するＰＣ梁を接続することを特徴とするものである。
【００１４】
【発明の実施の形態】
本発明においては、従来別個の部材であった床版（底板）と梁部材を製造段階で一体化して逆Ｔ字状断面のプレファブ布基礎部材としたので、施行現場における床版と梁部材との連結手段は不要となった。取り扱う部材の単重は増加するけれども、重機が簡単に使用できるので問題にはならない。
【００１５】
また長手方向の連結をボルトと接続板とのボルト結合としたので、建築物を撤去する時点においてはナットをゆるめる作業のみでよく、かつプレファブ布基礎部材は新たな建築物の布基礎用として再使用できる。
またＰＣ底版の長手方向両端面には水平溝を設け、敷設に際しては隣接するＰＣ底版の長手方向端面の水平溝により形成される空間内に水平方向から棒材を挿入して隣接するＰＣ底版を接続するようにしたので、長手方向のレベル出しを自動的に行うことができる。この部分も解体容易である。また棒材は隣接するＰＣ底版間に作用する剪断荷重にも対抗できる。
【００１６】
現地施行においてモルタルを一切使用しないでよいから工事がきわめて単純であり、かつモルタルの養生期間が不要なので工期も短縮される。
【００１７】
【実施例】
本発明の実施例を図面により説明する。図１は実施例のリサイクル型プレファブ布基礎部材１を示す斜視図で、長方形板状のＰＣ底版１１と、このＰＣ底版１１の長手方向中心線上に縦向きに接続された長方形板状のＰＣ梁１２とからなる逆Ｔ字状をしている。
【００１８】
前記ＰＣ底版１１の長手方向両端面には水平溝１１１　が設けられ、前記ＰＣ梁１２の長手方向両端付近には、縦方向所定間隔で複数本の接続用ボルト１２１　が突出している。また前記ＰＣ梁１２の上面の所定箇所には、アンカーボルトを植え込むためのインサートナット１２８　が埋設されている。
寸法例を示すと、長手方向長さはモジュールとして例えば１ｍ、ＰＣ底版１１の幅は４５ｃｍまたは６０ｃｍ、厚さは１５ｃｍ、ＰＣ梁１２の高さは５５〜７０ｃｍ、幅は１２ｃｍまたは１５ｃｍで、標準寸法で規格化することが設計上も好ましい。
【００１９】
プレファブ布基礎部材１の各角面は斜面幅で１０ｍｍ程度の面取りを行う。またＰＣ底版１１とＰＣ梁１２との接続部分は応力集中を避けるため幅２０ｍｍ程度の斜面とする。
ＰＣ底版１１の裏面は横すべり防止のため波高　３〜５　ｍｍ程度の櫛引き仕上とするのがよい。
【００２０】
図２は、ＰＣ梁１２の両端付近を示す実施例のリサイクル型プレファブ布基礎部材の部分斜視図で、１２２　はＰＣ梁１２の長手方向の端面に設けられた縦方向の凸条、１２３　は同じくＰＣ梁１２の長手方向の端面に設けられた縦方向の縦溝である。端面の一方を凸条１２２　、他方を縦溝１２３　として互いに嵌合させて接続してもよいし、両側共に縦溝１２３　とし、ＰＣ底版の接続と同様に隣接するＰＣ梁１２の縦溝１２３　により形成される空間内に上方から棒材を挿入して隣接するＰＣ梁１２を接続するようにしてもよい。いずれの場合も凸条１２２　または縦溝１２３　がガイドになって長手方向の中心出しが自動的に行われる。
【００２１】
図３は本発明のリサイクル型プレファブ布基礎部材１の変形例を示す正面図で、ＰＣ底版１１の長手方向両端面位置とＰＣ梁１２の長手方向両端面位置とが所定寸法だけずれている。例えばプレファブ布基礎部材１の長手方向が１ｍである場合にＰＣ底版１１とＰＣ梁１２の長手方向両端面位置を　２５０ｍｍずらしてある。このようにすると、布基礎の危険断面が分散されるとともに、レベル出しが自動的に行われるので図１に示した水平溝１１１　を省略することもできる。
【００２２】
図４は本発明の実施例のリサイクル型プレファブ布基礎部材の接続部分を示す部分斜視図で、Ｂは隣接するＰＣ底版１１の長手方向端面の水平溝１１１　により形成される空間内に水平方向から挿入される棒材、Ｐは隣接するＰＣ梁１２の長手方向両端付近に突出する接続用ボルト１２１　間にかけ渡して隣接するＰＣ梁１２、１２を接続する接続板である。
【００２３】
棒材Ｂは水平溝１１１　の断面形状に対応させ、六角形、長方形、円等の断面とする。材質はＰＣ、金属、硬質樹脂等任意に選定できる。また棒材Ｂは必ずしも水平溝１１１　の全長にわたって挿入される必要はないので、短いものを水平溝１１１　の両側から打ち込んでもよい。
図５は建築物の角部や内壁等の中間梁の接続部に使用する本発明の実施例のリサイクル型プレファブ布基礎部材を示す平面図で、（ａ）ないし（ｇ）にその具体例を示す。
【００２４】
いずれも、長方形板状部分とこれに直角方向の長方形板状部分とを接続した形状のＰＣ底版と、この底版のそれぞれの長手方向中心線上に縦向きに接続された長方形板状のＰＣ梁とからなるものである。（ｃ）、（ｅ）、（ｆ）、（ｇ）に示すものについては、接続される中間梁の間隔をモジュール寸法とすることが望ましい。
【００２５】
図６は本発明のリサイクル型プレファブ布基礎部材の変形例を示す正面図で、（ａ）ではＰＣ梁１２の上面に突出部１２４　と凹部１２５　を交互に形成し、突出部１２４　にアンカーボルトを配置して土台を取り付け、凹部１２５　と取り付けた土台との間に形成される開口を床下換気口として利用しようとするものである。（ｂ）に示すように凹部１２５　を中央１か所のやや大型のもの、例えば８０×４００　ｍｍ程度としてもよい。
【００２６】
図７は本発明のリサイクル型プレファブ布基礎部材の他の変形例を示す正面図で、１２６　はＰＣ梁１２の中央付近の高さ中央位置に形成した開口部である。開口部１２６　は例えば　３５０×６００　ｍｍ程度の大きさで、床下の点検等の際の出入り口として利用する。
図８は同じく本発明のリサイクル型プレファブ布基礎部材の他の変形例を示す正面図で、１２７　はＰＣ梁１２の中央付近の底版に近い位置に形成した開口部で、例えば１７０　×３００　ｍｍ程度のものである。図７の開口部１２６　と同様、床下の点検等の際の出入り口として利用する他、給水、排水等の水配管、ガス管、電線等の通り道として使用することができる。
【００２７】
図９（ａ）はＰＣ梁１２の長手方向両端付近に突出する接続用ボルト１２１　を示す斜視図、（ｂ）は接続用ボルト１２１　位置におけるＰＣ梁１２の部分断面図である。（ｂ）に示すように接続用ボルト１２１　は中央部分がＰＣ梁１２の内部に埋め込まれ、両端のねじ部のみが突出しているが、埋め込まれる中央部分に水平方向のリブを取付け、ループ筋から伝達される水平荷重による曲げ作用に抵抗するようにしてある。
【００２８】
図１０は本発明のリサイクル型プレファブ布基礎部材内部の配筋１３および接続用ボルト１２１　を示す斜視図で、１３１　はループ筋、１３２　はあばら筋、１３３　は底版補強筋である。ループ筋１３１　は両側の接続用ボルト１２１　の外側をかこむように配筋され、あばら筋１３２　は上方のループ筋１３１　と下方の底版補強筋１３３　とを接続して応力を伝達している。
【００２９】
図１１は本発明におけるループ筋１３１　の異なる態様を示すリサイクル型プレファブ布基礎部材の正面図で、（ａ）では上下３段に配置された接続用ボルト１２１　のうち上段および下段のものをそれぞれ結んでいるのに対し、（ｂ）では上段および下段の接続用ボルト１２１　を大きく囲んで配筋している。いずれの場合も中段の接続用ボルト１２１　はループ筋１３１　と直接応力伝達を行わないけれども、接続板Ｐを介して鉛直方向の剪断荷重に対して抵抗できるから有用である。
【００３０】
以上の説明に加えて本発明のリサイクル型プレファブ布基礎部材を使用する布基礎の構築方法を改めて説明すると、地盤を根切りしてその底面に前記のリサイクル型プレファブ布基礎部材１を長手方向に連続して敷設し、隣接するＰＣ底版１１の長手方向端面の水平溝１１１　により形成される空間内に水平方向から棒材Ｂを挿入して隣接するＰＣ底版１１を接続するとともに、隣接するＰＣ梁１２の長手方向両端付近に突出する前記接続用ボルト１２１　間に接続板Ｐをかけ渡してナットで締めつけ、隣接するＰＣ梁１２を接続することを特徴とするものである。
【００３１】
【発明の効果】
本発明によれば、床版と梁部材とが製造段階で一体化されて施行に際してモルタルが不要であり、部材の信頼性が向上するとともに接続部をボルト接続とすることにより解体性にすぐれた布基礎部材が実現し、建設段階においては工期が短縮され、解体の際にはリサイクルが可能となるなどのすぐれた効果を奏する。
【図面の簡単な説明】
【図１】本発明の実施例のプレファブ布基礎部材を示す斜視図である。
【図２】本発明の実施例のプレファブ布基礎部材を示す部分斜視図である。
【図３】本発明のプレファブ布基礎部材の変形例を示す正面図である。
【図４】本発明の実施例のプレファブ布基礎部材の接続部分を示す部分斜視図である。
【図５】本発明のプレファブ布基礎部材の他の実施例を示す平面図である。
【図６】本発明のプレファブ布基礎部材の変形例を示す正面図である。
【図７】本発明のプレファブ布基礎部材の他の変形例を示す正面図である。
【図８】同じく本発明のプレファブ布基礎部材の他の変形例を示す正面図である。
【図９】（ａ）は本発明の実施例のプレファブ布基礎部材における接続用ボルトを示す斜視図、（ｂ）は接続用ボルト位置におけるプレファブ布基礎部材の部分断面図である。
【図１０】本発明の実施例のプレファブ布基礎部材における内部配筋等を示す斜視図である。
【図１１】本発明の実施例におけるループ筋の異なる態様を示すプレファブ布基礎部材の正面図である。
【図１２】
従来の技術におけるＰＣ布基礎の斜視図である。
【図１３】
従来の技術におけるＰＣ布基礎の縦断面図である。
【図１４】
他の従来の技術におけるＰＣ基礎梁部材の正面図である。
【図１５】
同じく他の従来の技術におけるＰＣ基礎梁部材の平面図である。
【図１６】
従来の技術におけるＰＣ基礎梁部材の内部鉄筋を示す正面図である。
【図１７】
従来の技術におけるＰＣ基礎梁部材の接続部を示す正面図である。
【図１８】
従来の技術におけるＰＣ基礎梁部材の縦断面図である。
【図１９】
従来の技術における布基礎の縦断面図である。
【符号の説明】
１　　プレファブ布基礎部材
２　　ＰＣ礎版
３　　ＰＣ基礎梁部材
４　　モルタル
５　　接合筋
１１　　　ＰＣ底版
１２　　ＰＣ梁
１３　　配筋
３１　　水平鉄筋
３１ａ　、１３１　　ループ筋
３２、３３　　継手
３４、１３２　　あばら筋
３５　　金属管
３６、１２１　　　接続用ボルト
１１１　　水平溝
１２２　　凸条
１２３　　縦溝
１２４　　突出部
１２５　　凹部
１２６　、１２７　　開口部
１２８　　インサートナット
１３３　　底版補強筋
Ｂ　　棒材
Ｐ　　接続板
Ｓ　　砂
【図１】
2004084209.tif 000003
【図２】
2004084209.tif 000004
【図３】
2004084209.tif 000005
【図４】
2004084209.tif 000006
【図５】
2004084209.tif 000007
【図６】
2004084209.tif 000008
【図７】
2004084209.tif 000009
【図８】
2004084209.tif 000010
【図９】
2004084209.tif 000011
【図１０】
2004084209.tif 000012
【図１１】
2004084209.tif 000013
【図１２】
2004084209.tif 000014
【図１３】
2004084209.tif 000015
【図１４】
2004084209.tif 000016
【図１５】
2004084209.tif 000017
【図１６】
2004084209.tif 000018
【図１７】
2004084209.tif 000019
【図１８】
2004084209.tif 000020
【図１９】
2004084209.tif 000021